(57)【特許請求の範囲】
【請求項１】
カードが挿入されるスロットを有する情報処理装置本体と；カードの前記スロットへの挿入を許容する第１位置と該スロット中に挿入されたカードの抜き出しを防止する第２位置との間でスライド可能に前記本体に取り付けられたカードロックと；
前記情報処理装置本体に取り付けられる、情報処理装置本体の盗難を防止するための盗難防止具と、
前記カードロックに隣接して前記本体に設けられた盗難防止具取付部とを具備し；
前記盗難防止具が、盗難防止部取付部に取り付けられたときに、前記盗難防止具が第２位置にスライドされた前記カードロックに当接して該カードロックの第１位置方向へのスライドを防止することを特徴とする情報処理装置の盗難防止機構。
【請求項２】
前記盗難防止具は、ストラップを有することを特徴とする請求項１記載の情報処理装置の盗難防止機構。
【請求項３】
前記スロット中に挿入されたカードを更に具備し；
前記盗難防止具が前記本体に設けられた盗難防止具取付部に取り付けられると、前記情報処理装置と前記カードの双方を盗難から防止することを特徴とする請求項１記載の情報処理装置の盗難防止機構。
【請求項４】
カードが挿入されるスロットを有する情報処理装置本体と；カードの前記スロットへの挿入を許容する第１位置と該スロット中に挿入されたカードの抜き出しを防止する第２位置との間でスライド可能に前記本体に取り付けられたカードロックと；
前記カードロックに隣接して前記本体に形成された長穴と；
外側ロック部材と、該外側ロック部材中にロック位置とロック解除位置との間で回転可能に挿入された内側ロック部材と、該内側ロック部材と一体的に形成された前記長穴より小さい該長穴と類似形状の先端係合部と、前記外側ロック部材に結合されたストラップとを有する盗難防止具とを具備し；
前記先端係合部が前記長穴中に挿入されて前記内側ロック部材がロック位置に回転されたとき、前記先端係合部の前記長穴からの抜け出しが防止されるとともに前記外側ロック部材が前記第２位置にスライドされた前記カードロックに当接して該カードロックの第１位置方向へのスライドを防止することを特徴とする情報処理装置の盗難防止機構。
【請求項５】
前記スロット中に挿入されたカードを更に具備し；
前記盗難防止具の前記先端係合部が前記長穴中に挿入されて前記内側ロック部材がロック位置に回転されると、前記情報処理装置と前記カードの双方を盗難から防止することを特徴とする請求項４記載の情報処理装置の盗難防止機構。
【請求項６】
前記カードは、ＰＣカードであることを特徴とする請求項４記載の情報処理装置の盗難防止機構。
【請求項７】
前記情報処理装置は、携帯型情報処理装置であることを特徴とする請求項４記載の情報処理装置の盗難防止機構。
【発明の詳細な説明】
【０００１】
【発明の属する技術分野】
本発明は一般的に携帯型情報処理装置の盗難防止機構に関し、特に、内蔵されたＰＣカード等のカードと携帯型情報処理装置の双方の盗難を防止可能な盗難防止機構に関する。
【０００２】
情報処理装置の小型化、高機能化により、携帯型情報処理装置が急速に普及してきている。携帯型情報処理装置はそのコンパクトさのために携帯性に優れている反面、重量が軽く嵩張らないので盗難される可能性がある。よって、携帯型情報処理装置の盗難防止機構を設けるのが望ましい。
【０００３】
【従来の技術】
携帯型情報処理装置の一種であるノートブックパソコンは、比較的小型且つ低コストに設計されているため、出荷時に標準装備することが可能な周辺機器類の個数には限界がある。
【０００４】
従って、ユーザの多くは、ノートブックパソコンを購入後、自らの手で必要なデバイスを拡張することによって、コンピュータの機能強化を図らなければならない。
【０００５】
デスクトップ型パソコンのように本体ケース内のスペースに余裕がある機種の場合、デバイスの拡張は、所望のアダプタカードをシステムボード上の拡張スロットに差し込むという形態で行われていた。一方、ノートブックパソコンの場合、パソコン筐体内の実装密度が極端に高く、スペースにゆとりがないので、アダプタカードの装着は実用的ではない。
【０００６】
パーソナルコンピュータカード（ＰＣカード）は、収容スペースが著しく限定されたノートブックパソコンの拡張性を補うために開発された、クレジットカード大の拡張デバイスである。
【０００７】
ＰＣカードのハードウェア的（即ち機械的及び電気的）な最低限のガイドラインは、米国ＰＣＭＣＩＡ（パーソナル・コンピュータ・メモリ・カード・インターナショナル・アソシエーション）やＪＥＩＤＡ（日本電子工業振興協会）が中心となって、国際標準として策定されている。
【０００８】
現在、３．３ｍｍ厚のタイプ１、５ｍｍ厚のタイプ２、及び１０．５ｍｍ厚のタイプ３という３種類のＰＣカードが用意されている。
タイプ１は主にメモリカードとして利用されている。タイプ２はファクシミリ／モデムやイーサネットアダプタ、ＳＣＳＩアダプタ等の用途に使用されている。また、タイプ３は主にハードディス内蔵カードとして利用されている。
【０００９】
このようなＰＣカードは、電子部品の小型化技術等によってもたらされたものであり、ノートブックパソコンの小型軽量化、省電力化、可搬性の要求に適ったものである。
【００１０】
現在、殆どのノートブックパソコンがＰＣカード用スロットを標準的に備えている。また、将来性のあるＰＣカードの用途をノートブックパソコンに限定すべき理由は全くなく、最近では、ＰＣカード用スロットを有するデスクトップ型パソコンも登場してきた。
【００１１】
１９９４年夏に米国政府が「全てのデスクトップ型パソコンにＰＣカード用スロットを装備すること」を調達基準として打ち出したことから、ノートブック型パソコンのみならずデスクトップ型パソコンもＰＣカードの大きな市場となりつつある。
【００１２】
価格面では、今のところアダプタカードよりもＰＣカードのほうが割高であるが、ＰＣカードの市場が拡大すれば、量産効果でアダプタカード以下の価格になる可能性も大きい。
【００１３】
最近では、このようなＰＣカードの市場拡大の波により、従来軽視されがちであったＰＣカードの機密保護（セキリュティ）の問題がクローズアップされるようになってきた。ところが、ＰＣＭＣＩＡ／ＪＥＩＤＡでは、現在のところ、ＰＣカードに関するセキリュティについては何ら規定していない。
【００１４】
従来、盗難防止具を携帯型パソコンに結合することにより、携帯型パソコンの盗難を防止する機構が市販されている。この従来の盗難防止機構では、携帯型パソコンの本体に盗難防止具を取り付けるための長穴が形成されている。この長穴中に盗難防止具を係合してロックすることにより、携帯型パソコンの盗難を防止していた。
【００１５】
また、ノートブック型パソコンに装着中のＰＣカードの無断抜き取りを防止するための機構についていくつか提案されているが、従来のＰＣカードの盗難防止機構はいずれも複雑なものであり、携帯型情報処理装置の盗難防止機構とは独立して設けられていた。
【００１６】
【発明が解決しようとする課題】
このように、従来は携帯型情報処理装置の盗難防止機構と、ＰＣカードの盗難防止機構とがそれぞれ独立して設けられていたため、両方の盗難防止機構を採用した携帯型情報処理装置がコスト高になるという問題があった。
【００１７】
よって本発明の目的は、簡単な構成で情報処理装置とＰＣカード等のカードの盗難を防止可能な盗難防止機構を提供することである。
【００１８】
【課題を解決するための手段】
本発明によると、カードが挿入されるスロットを有する情報処理装置本体と、カードの前記スロットへの挿入を許容する第１位置と該スロット中に挿入されたカードの抜き出しを防止する第２位置との間でスライド可能に前記本体に取り付けられたカードロックと、前記カードロックに隣接して前記本体に形成された長穴と、外側ロック部材と、該外側ロック部材中にロック位置とロック解除位置との間で回転可能に挿入された内側ロック部材と、該内側ロック部材と一体的に形成された前記長穴より小さい該長穴と類似形状の先端係合部と、前記外側ロック部材に結合されたストラップとを有する盗難防止具とを具備し、前記先端係合部が前記長穴中に挿入されて前記内側ロック部材がロック位置に回転されたとき、前記先端係合部の前記長穴からの抜け出しが防止されるとともに前記外側ロック部材が前記第２位置にスライドされた前記カードロックに当接して該カードロックの第１位置方向へのスライドを防止することを特徴とする情報処理装置の盗難防止機構が提供される。
【００１９】
本発明の盗難防止機構では、カード用スロットに隣接して設けられた長穴とカード用スロットの位置関係が重要である。即ち、盗難防止具の先端係合部が長穴中に挿入されて内側ロック部材がロック位置に回転されたとき、外側ロック部材が第２位置にスライドされたカードロックに当接する必要がある。
【００２０】
外側ロック部材がカードロックに当接した状態で盗難防止具がロックされるので、スロット中に挿入されたカードの盗難防止と情報処理装置の盗難防止とを、１つの盗難防止機構で達成することができる。
【００２１】
【発明の実施の形態】
図１（Ａ）を参照すると、本発明の盗難防止機構が適用可能なノートブックパソコン２の平面図が示されている。図１（Ｂ）はその正面図、図１（Ｃ）はその背面図である。
【００２２】
ノートブックパソコン２は本体４と、本体４に回動可能に取り付けられた表示ユニット６を有している。図１（Ｃ）に示すように、本体４の筐体（ハウジング）４ａの背面には後で説明する盗難防止機構が係合される長穴８が形成されている。
【００２３】
図２（Ａ）を参照すると、ノートブックパソコン２の左側面図が示されている。本体４の側面にはＰＣカード挿入用の２つのスロット１０，１２が形成されており、これらのスロット１０，１２中にＰＣカード１４，１６がそれぞれ挿入されている。
【００２４】
ＰＣカード１４にはコネクタ１８が着脱可能に接続される。これにより、ＰＣカード１４はケーブル２０を介して他の通信機器等に接続される。他のＰＣカード１６にも同様なコネクタが着脱可能に接続されるが、図面上ではコネクタが接続されない状態が示されている。
【００２５】
符号２２はカードロックであり、ＰＣカード１４，１６のスロット１０，１２への挿入を許容する図２（Ａ）に示した第１位置と、スロット１０，１２中に挿入されたＰＣカード１４，１６の抜き出しを防止する図２（Ｂ）に示した第２位置との間で本体４にスライド可能に取り付けられている。
【００２６】
本体４のハウジング４ａにはカードロック２２に隣接して盗難防止具２６が係合される長穴２４が形成されている。この長穴２４は図１（Ｃ）に示した長穴８と同一形状であり、同様な目的に使用される。
【００２７】
この長穴２４のカードロック２２に対する相対的位置関係は重要である。即ち、図２（Ａ）に示すようにカードロック２２が第１位置にある状態では、盗難防止具２６は長穴２４に係合することはできない。
【００２８】
図２（Ｂ）に示すように、カードロック２２が第２位置に移動したときに初めて、図２（Ｃ）に示すように、盗難防止具２６が長穴２４に係合することができ、盗難防止具２６をこの位置でロックすると、カードロック２２は第１位置方向への移動が盗難防止具２６により阻止され、第２位置にロックされる。
【００２９】
図３を参照すると、本発明の盗難防止機構の使用状態が示されており、ノートブックパソコン２は机３０上に載置されている。盗難防止具２６を長穴２４に係合してロックし、盗難防止具２６のストラップ２８を机３０の脚３２に連結する。これにより、ノートブックパソコン２の盗難を有効な防止することができる。
【００３０】
以下、盗難防止具２６の構成及び作用について詳細に説明する。図４を参照すると、盗難防止具２６の正面図が示されており、図５（Ａ）は図４の左側面図、図５（Ｂ）は図４の右側面図である。
【００３１】
盗難防止具２６は外側ロック部材３４と、この外側ロック部材３４中にロック位置とロック解除位置との間で回転可能に挿入された内側ロック部材３６を有している。外側ロック部材３４にはストラップ２８が結合されている。
【００３２】
内側ロック部材３６には小径の首部３８を介して先端係合部４０が一体的に形成されている。先端係合部４０は長穴８，２４と類似形状をしており、これらの長穴中に挿入可能なように僅かばかり長穴より小さく形成されている。
【００３３】
図５（Ｂ）に示すように、外側ロック部材３４には切欠き３５が形成されており、内側ロック部材３６には切欠き３７が形成されている。切欠き３５は奥に行くにつれてその深さが浅くなるように形成されている。また、内側ロック部材３６は図４で左方向に２〜３ｍｍ程度移動可能なように外側ロック部材３４中に挿入されている。
【００３４】
図６を参照すると、盗難防止具２６をロック或いはロックの解除をするためのキー４２の正面図が示されている。キー４２は円筒部材４４と、円筒部材４４に固着された把持プレート４６を含んでいる。
【００３５】
円筒部材４４には突起４８が半径方向に移動可能に設けられている。図６に示した状態では、突起４８は円筒部材４４表面から突出しており、上方から押されると突起４８は円筒部材４４の内側に突出する。
【００３６】
以下、図７（Ａ）−図７（Ｃ）乃至図１１（Ａ）−図１１（Ｃ）を参照して、盗難防止具２６のロック機構を詳細に説明する。
図７（Ａ）は本体４のハウジング４ａを断面で示した盗難防止具２６の正面図を示しており、図７（Ｂ）は長穴２４の左側面図、図７（Ｃ）は盗難防止具２６の右側面図をそれぞれ示している。図８（Ａ）−図８（Ｃ）乃至図１１（Ａ）−図１１（Ｃ）においても、この関係は同様である。
【００３７】
まず、図７（Ａ）に示すように盗難防止具２６を長穴２４に近付けて、図８（Ａ）に示すように先端係合部４０を長穴２４中に挿入する。次いで、図９（Ａ）に示すようにキー４２を盗難防止具２６にあてがい、キー４２を内側ロック部材３６に押しつけると、内側ロック部材３６は図９（Ａ）で左方向に２〜３ｍｍ程度移動する。
【００３８】
これにより、外側ロック部材３４の切欠き３５は奥に行くにつれて浅く形成されているので、キー４２の突起４８は半径方向内側に押されて内側ロック部材３６の切欠き３７に係合する。
【００３９】
この状態で、キー４２を時計回り方向に概略９０°回転すると、内側ロック部材３６も時計回り方向に概略９０°回転され、図１０（Ａ）及び図１１（Ａ）に示すように、盗難防止具２６をロックすることができる。
【００４０】
このロック状態では、図１０（Ｂ）及び図１１（Ｂ）に示すように、先端係合部４０の長手方向が長穴２４の長手方向と概略直交するため、盗難防止具２６の先端係合部４０が長穴２４から抜け出すことはない。
【００４１】
よって、この状態で図３に示すように盗難防止具２６のストラップ２８を机の脚等に連結することにより、ノートブックパソコン２の盗難を有効に防止することができる。
【００４２】
図２（Ｃ）を参照して説明したように、盗難防止具２６の先端係合部４０が長穴２４中に挿入され、盗難防止具２６がロックされた状態では、第２位置に移動されたカードロック２２が盗難防止具２６の外側ロック部材３４に当接するため、カードロック２２は第２位置でロックされる。
【００４３】
よって、ＰＣカード１４，１６はカードロック２２により押さえられるため、ＰＣカード１４，１６をスロット１０，１２中から抜き出すことが防止され、ＰＣカード１４，１６の盗難を有効に防止することができる。
【００４４】
以上詳細に説明したように、本発明の盗難防止機構によると、カードロック２２と長穴２４との相対位置関係を所定の関係に規制したので、盗難防止具２６の使用により携帯型パソコン２の盗難とＰＣカード１４，１６の盗難の双方を有効に防止することができる。
【００４５】
以上、携帯型パソコンを例に挙げて説明したが、デスクトップパソコンが、ＰＣカードスロットを具備していれば、本発明をデスクトップパソコンに適用することも可能である。その場合、デスクトップパソコンの本体と、ＰＣカードの盗難の双方を防止できる。
【００４６】
【発明の効果】
本発明によれば、簡単な構成で情報処理装置のみならず内蔵されたＰＣカード等のカードの盗難も有効に防止できるという効果を奏する。
【図面の簡単な説明】
【図１】図１（Ａ）はノートブックパソコンの平面図であり、図１（Ｂ）はその正面図、図１（Ｃ）はその背面図である。
【図２】図２（Ａ）はカードロックが第１位置にある状態のノートブックパソコンの側面図、図２（Ｂ）はカードロックが第２位置にある状態のノートブックパソコンの側面図、図２（Ｃ）は盗難防止具がロックされた状態のノートブックパソコンの側面図である。
【図３】盗難防止機構の使用状態を説明する図である。
【図４】盗難防止具の正面図である。
【図５】図５（Ａ）は図４の左側面図、図５（Ｂ）は図４の右側面図である。
【図６】キーの正面図である。
【図７】ロック機構の説明図である。
【図８】ロック機構の説明図である。
【図９】ロック機構の説明図である。
【図１０】ロック機構の説明図である。
【図１１】ロック機構の説明図である。
【符号の説明】
４  本体
４ａ  本体ハウジング
１０，１２  ＰＣカード用スロット
１４，１６  ＰＣカード
２２  カードロック
２４  長穴
２６  盗難防止具
３４  外側ロック部材
３６  内側ロック部材
４０  先端係合部
４２  キー
【図１】
0003966393.tif 000002
【図２】
0003966393.tif 000003
【図３】
0003966393.tif 000004
【図４】
0003966393.tif 000005
【図５】
0003966393.tif 000006
【図６】
0003966393.tif 000007
【図７】
0003966393.tif 000008
【図８】
0003966393.tif 000009
【図９】
0003966393.tif 000010
【図１０】
0003966393.tif 000011
【図１１】
0003966393.tif 000012